(57)【要約】      （修正有）【課題】ギア部は圧入時に先行する下端面が、上側の板歯車に衝突する事を防ぎ、従動ギヤの歯に損傷を与えることなく容易に取付けが行えるピニオンギアを提供する。【解決手段】従属ギアは、互いに歯形の同じ2枚の板歯車を重ね合わせてなり、これらの板歯車が互いの歯溝を狭める方向に付勢されているピニオンギア５１において、ギア部５１ａについて、モータ４の主軸４ａへの圧入時に先行する下端部での歯面が、隣接する歯同士の隙間を次第に広げるような斜面５１ａａに形成されており、斜面は隣接する歯同士の互いに向き合う歯面の一方に形成する。【選択図】図１
2007184030.tif 000002
【特許請求の範囲】
【請求項１】
メインシャーシと、
このメインシャーシに対して光ディスクを搬送するディスクトレイと、
メインシャーシ内に搬送された前記光ディスクの記録面に対して昇降するトラバースシャーシと、
このトラバースシャーシに支持され、前記光ディスクの記録面に沿う径方向に往復移動する光ピックアップを有するピックアップユニットと、
前記トラバースシャーシに設けられたモータと、
このモータの主軸に圧入され、圧入時に先行する端部とは反対の端部にフランジ部を有するピニオンギアと、
前記トラバースシャーシに軸支され、前記ピニオンギアと噛み合って前記ディスクトレイ、前記トラバースシャーシ及び前記ピックアップユニットに前記モータからの駆動力を伝達する従動ギアと、を備えるとともに、
前記ピニオンギアのフランジ部に取り付けられ、前記モータの駆動に従って回転するスリット板と、
このスリット板を上下から挟むフォトインタラプタが搭載されて前記トラバースシャーシ上に取り付けられるプリント回路基板と、より成るエンコーダを備えた光ディスク装置であって、
前記従動ギアは、互いに歯形の同じ２枚の板歯車を重ね合わせて成り、これらの板歯車が互いの歯みぞを狭める方向に付勢されている光ディスク装置において、
前記ピニオンギアは、ギア部における圧入時に先行する端部での歯面が、隣接する歯同士の隙間を次第に広げるような斜面に形成されており、
前記斜面は、隣接する歯同士の互いに向き合う歯面の一方に形成されていることを特徴とする光ディスク装置。
【請求項２】
モータの主軸に圧入されて従動ギアと噛み合うピニオンギアにおいて、
ギア部における圧入時に先行する端部での歯面が、隣接する歯同士の隙間を次第に広げるような斜面に形成されていることを特徴とするピニオンギア。
【請求項３】
前記斜面は、隣接する歯同士の互いに向き合う歯面の一方に形成されていることを特徴とする請求項２に記載のピニオンギア。
【請求項４】
前記従動ギアは、互いに歯形の同じ２枚の板歯車を重ね合わせて成り、これらの板歯車が互いの歯みぞを狭める方向に付勢されていることを特徴とする請求項２又は３に記載のピニオンギア。
【請求項５】
圧入時に先行する端部とは反対の端部にフランジ部を有することを特徴とする請求項２から４のいずれかに記載のピニオンギア。
【発明の詳細な説明】
【技術分野】
【０００１】
本発明は、情報記録媒体であるＣＤやＤＶＤ等の光ディスクに対して情報の再生や記録を行う光ディスク装置に関し、特に、ピックアップユニット、トラバースシャーシ及びディスクトレイ各々を駆動させるためのモータの主軸に圧入されるピニオンギアに関する。
【背景技術】
【０００２】
一般に、光ディスク装置は、クランプした光ディスクを回転させ、その光ディスクの記録面にレーザー光を出射してその記録面上に情報を書き込んだり（記録）、更に光ディスクの記録面で反射したレーザー光を受光してその記録面上の情報を読み取ったり（再生）するものであり、大きくは、固定のメインシャーシと、可動のトラバースシャーシとから外形が構成される。そのメインシャーシには、ディスクトレイが正面から内外へ挿脱可能に支持されている。
【０００３】
このような光ディスク装置の具体的な構成について、その一例を図６〜図１２を参照しながら以下に説明する。メインシャーシ１は、例えばポリスチレン（ＰＳ）等の合成樹脂の成型品であり、トラバースシャーシ２は、例えばポリフェニレンエーテル（ＰＰＥ）等の合成樹脂の成型品である。
【０００４】
トラバースシャーシ２には、光ディスクの記録面に沿う径方向（図６では前後方向）に往復移動するピックアップユニット３が設けられている。ピックアップユニット３に隣接する一側部（図６では右側部）には、主としてピックアップユニット３を移動させるためのモータ４（図６では不図示）と、このモータ４の主軸４ａに固定されるピニオンギア５１と、このピニオンギア５１に１つが噛み合いつつ、互いが噛み合って概ね前後方向に連なる第１従動ギア５２、第２従動ギア５３、第３従動ギア５４と、が設けられている。
【０００５】
ここで、ピニオンギア５１は、図７〜図１０に示すように、上下方向の歯幅が十分なギア部５１ａと、このギア部５１ａの上端となる上部にフランジ部５１ｂと、を有し、その中心に、モータ４の主軸４ａを受け入れる上下方向の挿通穴５１ｃが貫通している。ギア部５１ａには、詳細は後述する第１従動ギア５２の板歯車５５、５６が噛み合い、フランジ部５１ｂの上面には、詳細は後述するエンコーダＥとしてのスリット板Ｓが取り付けられる。ここでのピニオンギア５１におけるギア部５１ａの下端面は、挿通穴５１ｃと直交する平坦な面に形成されている（例えば特許文献１参照）。
【０００６】
ピニオンギア５１に噛み合う第１従動ギア５２は、図１１、図１２に示すように、互いに歯形の同じ２枚の板歯車５５、５６を同軸状で上下に重ね合わせて成る。上側の板歯車５５と下側の板歯車５６とは、コイルバネ５７によって互いの歯みぞを狭める周方向に付勢されており、互いに遊嵌する貫通穴５５ａと突起５６ａによって、そのコイルバネ５７の付勢力による周方向への過剰な回転を制限されている。更に、これらの板歯車５５、５６は、重なり合った状態で互いに係合する２対の突片５５ｂ、５６ｂによって抜けが防止されている。これにより、第１従動ギア５２すなわち板歯車５５、５６の歯みぞに噛み合うピニオンギア５１のギア部５１ａの歯は、一方の板歯車５５と他方の板歯車５６の歯面で常時挟み込まれた状態になるため、互いの噛合いにバックラッシュが発生せず、ガタツキの無い噛合いを実現できようになっている。
【０００７】
更に、上側の板歯車５５の上面からは、これと一体成型された第１小歯車５８が同軸状で突出しており、下側の板歯車５６の下面からは、上側の板歯車５５と一体成型された第２小歯車５９が同軸状で突出している。
【０００８】
その第１従動ギア５２の第２小歯車５９が、ピックアップユニット３の側部に形成されたラック３ａと噛み合うことにより、モータ４からの駆動力がピックアップユニット３に伝達され、ピックアップユニット３が移動する。なお、ピックアップユニット３の移動の案内は、一般には、その移動方向と平行にトラバースシャーシ２上に支持された一対のガイド軸でなされる。
【０００９】
また、第１従動ギア５２の第１小歯車５８は続く第２従動ギア５３に噛み合い、この第２従動ギア５３は最前部の第３従動ギア５４に噛み合っている。この第３従動ギア５４は、トラバースシャーシ２に設けられたトレイギア８と噛み合っている。このトレイギア８は、トラバースシャーシ２の前方でメインシャーシ１側に配されたカムスライダ６のラックと噛合可能になっている。カムスライダ６は、トラバースシャーシ２の前端部に設けられたシフトレバー７とカム係合し、ディスクトレイの搬送方向（前後方向）及びトラバースシャーシ２の昇降方向と略直交する方向（左右方向）に移動できる。そして、カムスライダ６は、そのラックがトレイギア８と噛み合うことにより、モータ４からの駆動力が伝達されて左右方向に移動し、これにより、カム係合するシフトレバー７が案内されてトラバースシャーシ２が昇降する。
【００１０】
更に、トレイギア８は、ディスクトレイに形成された前後方向に延在するラックと噛合可能になっている。そして、ディスクトレイは、そのラックとトレイギア８とが噛み合うことにより、モータ４からの駆動力が伝達され、前後方向に移動するようになっている。
【００１１】
このような光ディスク装置において、メインシャーシ１の外部へ引き出されたディスクトレイ上に光ディスクが載置され、モータ４の駆動によりそのディスクトレイがメインシャーシ１の内部へ送り込まれる。ディスクトレイが規定位置まで送り込まれると、ディスクトレイのラックとトレイギア８との噛合いが外れる一方、カムスライダ６のラックとトレイギア８とが噛み合う。カムスライダ６は、モータ４の駆動により左右方向に移動し、トラバースシャーシ２を上昇させる。トラバースシャーシ２が規定位置まで上昇すると、カムスライダ６のラックとトレイギア８との噛合いが外れるとともに、光ディスクがクランプされる。
【００１２】
ここで、光ディスクのクランプについて具体的に説明しておく。メインシャーシ１の上側に左右方向にわたってクランパホルダが架設されており、その中央には略円板状のクランパが回転自在に設けられている。一方、そのクランパと対向するトラバースシャーシ２上には、スピンドルモータが取り付けられており、このスピンドルモータの主軸の先端部には、その主軸の回転（スピンドルモータの駆動）に従って回転するターンテーブル９が固定されている。そして、トラバースシャーシ２が上昇することにより、光ディスクの中心穴がターンテーブル９に嵌合し、更に、光ディスクがターンテーブル９の上面とクランパの下面との間に挟み込まれてクランプされる。
【００１３】
光ディスクがクランプされると、ピックアップユニット３のラック３ａが、第１従動ギア５２の第２小歯車５９に噛み合う。そして、モータ４の駆動により、ピックアップユニット３が光ディスクの径方向へ移動し、そのピックアップユニット３と共に移動する光ピックアップによって、光ディスクに対しての情報の再生や記録が行われる。なお、光ディスクを取り出す際には上記とは逆の動作が行われる。
【００１４】
このような光ディスク装置では、ピックアップユニット３の駆動、トラバースシャーシ２の駆動及びディスクトレイの駆動が、いずれもモータ４の駆動力によりなされるわけであるが、各々の駆動に際してそのモータ４の駆動を適正に制御するために、エンコーダＥが適用されている。
【００１５】
このエンコーダＥは、ピニオンギア５１が有するフランジ部５１ｂの上面に同軸状に取り付けられた円板状のスリット板Ｓと、このスリット板Ｓの外周縁部を上下から挟み込むように配置されたフォトインタラプタＰ（ＰＩ；Photo Interrupter）とより構成される。スリット板Ｓには、放射状に多数のスリットが形成されている。フォトインタラプタＰは、専用のプリント回路基板１０（以下、「ＰＩ基板」と記すことがある）にハンダ付けされて実装されており、このＰＩ基板１０は、トラバースシャーシ２上に立てた状態で取り付けられている。ここでのＰＩ基板１０は、光ディスク装置全体の動作を制御する制御部に接続されている。
【００１６】
そして、モータ４の駆動すなわちその主軸４ａの回転に従ってスリット板Ｓが回転するわけであるが、その際、フォトインタラプタＰの間を通過するスリットが順次検出され、それに応じたパルス信号がＰＩ基板１０から出力される。制御部は、そのパルス信号を受けてそのパルス数をカウントし、ピックアップユニット３、トラバースシャーシ２及びディスクトレイ各々の駆動に適正な駆動信号（例えばモータ４への電圧値に関する信号）をモータ４へ与える。なお、図６中の符号ＳＷは、ピックアップユニット３が光ディスクの内周端位置に達しているか否かを検出する内周端検知スイッチであり、この内周端検知スイッチＳＷのオン／オフ出力された時点が、ＰＩ基板１０からのパルス信号をカウントする際の基準点として用いられる。
【特許文献１】特開２００２−１８１１６３号公報
【発明の開示】
【発明が解決しようとする課題】
【００１７】
ところで、上記した光ディスク装置においては、モータ４にピニオンギア５１を取り付けるにあたり以下に示す問題がある。
【００１８】
ピニオンギア５１は、特に上部にフランジ部５１ｂを有することから、トラバースシャーシ２に先にモータ４及び第１従動ギア５２を取り付けた後に取り付けられる。その際、ピニオンギア５１は、フランジ部５１ｂを上にして下部を先行させながら、挿通穴５１ｃにモータ４の主軸４ａが挿し込まれて圧入される。このとき、ピニオンギア５１におけるギア部５１ａの歯が、第１従動ギア５２における上側の板歯車５５の歯みぞ、下側の板歯車５６の歯みぞを順に経る状況が理想的であるが、実際には、そのギア部５１ａの圧入時に先行する下端面が、先ず上側の板歯車５５の歯に衝突することがある。
【００１９】
また、ピニオンギア５１におけるギア部５１ａの歯が、第１従動ギア５２における上側の板歯車５５の歯みぞをうまく通過したとしても、今度は下側の板歯車５６の歯に、そのギア部５１ａの下端面が衝突してしまう（図１３の斜線部参照）。上側の板歯車５５と下側の板歯車５６との両者にピニオンギア５１が噛み合った状態で、コイルバネ５７の付勢力によって一方の板歯車５５と他方の板歯車５６の歯面でそのギア部５１ａの歯を挟み込みこむべく、それらの板歯車５５、５６にピニオンギア５１が噛み合っていないフリーの状態では、コイルバネ５７の付勢力によって上側の板歯車５５の歯みぞの次に下側の板歯車５６の歯が配置されるようになっているからである。
【００２０】
ピニオンギア５１におけるギア部５１ａの下端面が第１従動ギア５２における板歯車５５、５６の歯に衝突したまま、ピニオンギア５１が不用意に圧入されると、その板歯車５５、５６の衝突された歯は、変形したり、場合によっては欠けたりして、損傷を受けてしまう。この場合、光ディスク装置の使用中、第１従動ギア５２における板歯車５５、５６の損傷を受けた歯の部分に起因して、異音が発生したり、作動不良が生じたりする。そのため、モータ４の主軸４ａへのピニオンギア５１の取付けに際しては、慎重な作業が強いられる。
【００２１】
なお、上記した特許文献１には、図１４、図１５に示すように、ピニオンギア５１におけるギア部５１ａの下端面を挿通穴５１ｃを中心とした円錐面に形成することが記載されているが、上記の問題に関しての事情は同じである。
【００２２】
そこで本発明は、上記の問題に鑑みてなされたものであり、従動ギヤの歯に損傷を与えることなく容易に取付けが行えるピニオンギア、及びこれを備えた光ディスク装置を提供することを目的とするものである。
【課題を解決するための手段】
【００２３】
上記目的を達成するため、本発明による光ディスク装置は、メインシャーシと、このメインシャーシに対して光ディスクを搬送するディスクトレイと、メインシャーシ内に搬送された前記光ディスクの記録面に対して昇降するトラバースシャーシと、このトラバースシャーシに支持され、前記光ディスクの記録面に沿う径方向に往復移動する光ピックアップを有するピックアップユニットと、前記トラバースシャーシに設けられたモータと、このモータの主軸に圧入され、圧入時に先行する端部とは反対の端部にフランジ部を有するピニオンギアと、前記トラバースシャーシに軸支され、前記ピニオンギアと噛み合って前記ディスクトレイ、前記トラバースシャーシ及び前記ピックアップユニットに前記モータからの駆動力を伝達する従動ギアと、を備えるとともに、前記ピニオンギアのフランジ部に取り付けられ、前記モータの駆動に従って回転するスリット板と、このスリット板を上下から挟むフォトインタラプタが搭載されて前記トラバースシャーシ上に取り付けられるプリント回路基板と、より成るエンコーダを備えた光ディスク装置であって、前記従動ギアは、互いに歯形の同じ２枚の板歯車を重ね合わせて成り、これらの板歯車が互いの歯みぞを狭める方向に付勢されている光ディスク装置において、次の点を特徴とする。前記ピニオンギアは、ギア部における圧入時に先行する端部での歯面が、隣接する歯同士の隙間を次第に広げるような斜面に形成されており、前記斜面は、隣接する歯同士の互いに向き合う歯面の一方に形成されている。
【００２４】
このようにすれば、ピニオンギアがモータの主軸に圧入されるとき、ピニオンギアにおけるギア部の歯の延長線上に従動ギアにおける板歯車の歯があった場合、そのギア部に形成されている斜面が板歯車の歯に接触するが、そのままピニオンギアが圧入されると、板歯車は、接触した歯が斜面に沿って案内されて、回転する。これにより、ピニオンギアにおけるギア部の歯は、従動ギアにおける板歯車の歯に損傷を与えることなく、スムーズにその歯みぞに至り、従動ギアの板歯車と噛み合った状態になる。
【００２５】
また、上記目的を達成するための本発明によるピニオンギアは、モータの主軸に圧入されて従動ギアと噛み合うピニオンギアにおいて、ギア部における圧入時に先行する端部での歯面が、隣接する歯同士の隙間を次第に広げるような斜面に形成されている。
【００２６】
このようにすれば、ピニオンギアがモータの主軸に圧入されるとき、ピニオンギアにおけるギア部の歯の延長線上に従動ギアの歯があった場合、そのギア部に形成されている斜面が従動ギアの歯に接触するが、そのままピニオンギアが圧入されると、従動ギアは、接触した歯が斜面に沿って案内されて、回転する。これにより、ピニオンギアにおけるギア部の歯は、従動ギアの歯に損傷を与えることなく、スムーズにその歯みぞに至り、従動ギアと噛み合った状態になる。
【００２７】
ここで、前記斜面は、隣接する歯同士の互いに向き合う歯面の一方に形成されていることが好ましい。
【００２８】
また、前記従動ギアは、互いに歯形の同じ２枚の板歯車を重ね合わせて成り、これらの板歯車が互いの歯みぞを狭める方向に付勢されていてもよい。
【００２９】
また、ピニオンギアには、圧入時に先行する端部とは反対の端部にフランジ部を有してもよい。
【発明の効果】
【００３０】
本発明によれば、ピニオンギアをモータの主軸に単に圧入していくだけで、従動ギアの歯に損傷を与えることなく、そのギア部を従動ギアと噛み合わせることができるため、その取付け作業は極めて容易なものとなる。
【発明を実施するための最良の形態】
【００３１】
以下に、本発明のピニオンギア及び光ディスク装置の一実施形態について図面を参照しながら詳述する。図１は本発明の一実施形態であるピニオンギアの外観を示す斜視図、図２はそのピニオンギアの側面図、図３はそのピニオンギアの下面図である。図４はそのピニオンギアをモータに取り付ける際の状況を示す下方から見た平面図、図５はそのピニオンギアの取付け後の状況を示す側面図である。なお、図中で図６〜図１５と同じ名称で同じ機能を果たす部分には同一の符号を付し、重複する説明は適宜省略する。
【００３２】
本実施形態でのピニオンギア５１は、図１〜図３に示すように、上下方向の歯幅が十分なギア部５１ａと、このギア部５１ａの上端となる上部にフランジ部５１ｂと、を有し、その中心に、モータ４の主軸４ａを受け入れる上下方向の挿通穴５１ｃが貫通している。ギア部５１ａには、第１従動ギア５２の板歯車５５、５６が噛み合い、フランジ部５１ｂの上面には、エンコーダＥとしてのスリット板Ｓが取り付けられる。このような点は、従来のものと同じである。
【００３３】
但し、次の点で従来のものと大きく異なる。ピニオンギア５１におけるギア部５１ａについて、圧入時に先行する下端部での局部的な歯面が、隣接する歯同士の隙間を下方に行くに従って次第に広げるような斜面５１ａａに形成されている。図では、隣接する歯同士の互いに向き合う歯面のうち、一方の歯面に斜面５１ａａが歯ごとに形成されている。このようなピニオンギア５１は、エンジニアリングプラスチック、例えばポリアセタール（ＰＯＭ）等の合成樹脂の成型品であり、金型の彫刻形状を局部的に修正することで簡単に得られる。
【００３４】
そして、このようなピニオンギア５１は、従来と同じく、トラバースシャーシ２に先にモータ４及び第１従動ギア５２を取り付けた後に取り付けられる。その際、ピニオンギア５１は、フランジ部５１ｂを上にして下部を先行させながら、挿通穴５１ｃにモータ４の主軸４ａが挿し込まれて圧入される。このとき、ピニオンギア５１におけるギア部５１ａの歯の延長線上に第１従動ギア５２における上側の板歯車５５の歯があった場合、そのギア部５１ａの下端部の斜面５１ａａが上側の板歯車５５の歯に接触するが、そのままピニオンギア５１が圧入されると、上側の板歯車５５は、接触した歯が斜面５１ａａに沿って案内されて、回転する。これにより、ピニオンギア５１におけるギア部５１ａの歯は、第１従動ギア５２における上側の板歯車５５の歯に損傷を与えることなく、スムーズにその歯みぞに至る。
【００３５】
続いて、ピニオンギア５１におけるギア部５１ａの歯は、その斜面５１ａａが今度は下側の板歯車５６の歯に接触するが、そのままピニオンギア５１が圧入されると、下側の板歯車５６は、コイルバネ５７の付勢力に抗しながら、接触した歯が斜面５１ａａに沿って案内されて、回転する。これにより、図４に示すように、ピニオンギア５１におけるギア部５１ａの歯は、第１従動ギア５２における下側の板歯車５６の歯に損傷を与えることなく、スムーズにその歯みぞに至る。
【００３６】
こうして、図５に示すように、ピニオンギア５１はモータ４の主軸４ａに取り付けられ、そのギア部５１ａが第１従動ギア５２の板歯車５５、５６と噛み合った状態になる。
【００３７】
このように、ピニオンギア５１をモータ４の主軸４ａに単に圧入していくだけで、第１従動ギア５２の板歯車５５、５６の歯に損傷を与えることなく、そのギア部５１ａを第１従動ギア５２の板歯車５５、５６と噛み合わせることができるため、その取付け作業は極めて容易なものとなる。もっとも、第１従動ギア５２の板歯車５５、５６の歯が損傷を受けないことから、光ディスク装置の使用中、異音が発生したり、作動不良が生じたりすることも一切無い。
【００３８】
その他本発明は上記の実施形態に限定されず、本発明の趣旨を逸脱しない範囲で、種々の変更が可能である。例えば、上記した実施形態では、ピニオンギア５１におけるギア部５１ａについて、隣接する歯同士の互いに向き合う歯面のうち、一方の歯面に斜面５１ａａを形成したが、ギア部５１ａにおける圧入時に先行する下端部である限り、他方の歯面にも斜面５１ａａを形成しても構わない。また、ピニオンギア５１に噛み合う第１従動ギア５２が１枚から成る板歯車であってもよい。
【産業上の利用可能性】
【００３９】
本発明は、光ディスクに対して情報の再生や記録を行うための光ディスク装置に有用である。
【図面の簡単な説明】
【００４０】
【図１】本発明の一実施形態であるピニオンギアの外観を示す斜視図である。
【図２】図１のピニオンギアの側面図である。
【図３】図１のピニオンギアの下面図である。
【図４】図１のピニオンギアをモータに取り付ける際の状況を示す下方から見た平面図である。
【図５】図１のピニオンギアの取付け後の状況を示す側面図である。
【図６】本発明にも共通する一般的な光ディスク装置の構成を示す平面図である。
【図７】従来のピニオンギアの外観を示す斜視図である。
【図８】図７のピニオンギアの側面図である。
【図９】本発明にも共通するピニオンギアの上面図である。
【図１０】図７のピニオンギアの下面図である。
【図１１】本発明にも共通するピニオンギアの取付け後の状況を示す上方から見た平面図である。
【図１２】図７のピニオンギアの取付け後の状況を示す側面図である。
【図１３】図７のピニオンギアをモータに取り付ける際の状況を示す下方から見た平面図である。
【図１４】従来の他のピニオンギアの外観を示す斜視図である。
【図１５】図１４のピニオンギアの側面図である。
【符号の説明】
【００４１】
４    モータ
４ａ    主軸
５１    ピニオンギア
５１ａ    ギア部
５１ａａ    斜面
５１ｂ    フランジ部
５１ｃ    挿通穴
５２    第１従動ギア
５５、５６    板歯車
Ｓ    スリット板
【図１】
2007184030.tif 000003
【図２】
2007184030.tif 000004
【図３】
2007184030.tif 000005
【図４】
2007184030.tif 000006
【図５】
2007184030.tif 000007
【図６】
2007184030.tif 000008
【図７】
2007184030.tif 000009
【図８】
2007184030.tif 000010
【図９】
2007184030.tif 000011
【図１０】
2007184030.tif 000012
【図１１】
2007184030.tif 000013
【図１２】
2007184030.tif 000014
【図１３】
2007184030.tif 000015
【図１４】
2007184030.tif 000016
【図１５】
2007184030.tif 000017